(57)【要約】      （修正有） 【課題】略Ｃ字状の装身具であって、指輪として装着できるだけでなく、この装身具をネックレスとしても体に装着でき、更にはイヤリングとしても装着でき、更にはイヤーカフやイヤークリップとしても体に装着できる。従って一つの装身具を多様に身体に装身具として装着でき、一の装身具を多様な装身具として用いることのできる装身具を提供する。【解決手段】略Ｃ字状のリング本体１であって、その一部に間隙部を有するリング本体であり、リング本体の両端部方向の両端部には少なくともそれぞれ貫通孔２を有し、略Ｃ字状のリング本体は指の径にほぼ等しい径を有し、該リング本体の間隙部は耳たぶの厚み程度の幅を有し、貫通孔はチェーンを挿通できる孔を有する装身具である。【選択図】図１
0003233345.tif 000002
【実用新案登録請求の範囲】
【請求項１】
略Ｃ字状のリング本体（１）であって、その一部に間隙部（Ａ）を有するリング本体（１）であり、リング本体（１）の両端部方向の両端部には少なくともそれぞれ貫通孔を有しており、
略Ｃ字状のリング本体（１）は指の径にほぼ等しい径を有し、
該リング本体（１）の間隙部（Ａ）は耳たぶの厚み程度の幅を有するものであり、
貫通孔はチェーンを挿通できる孔であることを特徴とする装身具。
【請求項２】
リング本体（１）は板状の部材からなる上面部（１０）と下面部（１１）とを有し、略Ｃ字状の両端部部分で該上面部（１０）と下面部（１１）とが連設して形成し、上面部（１０）と下面部（１１）との間に中空の空洞部（２）を有するリング本体（１）であって、該中空の空洞部（２）が貫通孔であることを特徴とする請求項１記載の装身具。
【請求項３】
リング本体（１）は板状の部材からなる板状の内側部（１２）と外側部（１３）とを有し、略Ｃ字状の両端部部分で該内側部（１２）と外側部（１３）とが連接して形成し、内側部（１２）と外側部（１３）との間に中空の空洞部（２）を有するリング本体（１）であって、該中空の空洞部（２）が貫通孔であることを特徴とする請求項１記載の装身具。
【考案の詳細な説明】
【技術分野】
【０００１】
本考案は、装身具に関する発明であって、略輪状のリング本体よりなる装身具で、該輪状のリング本体の一部には間隙を有しており、かつリング本体には貫通する孔を有する装身具である。
これは、リング形状によって指輪として装着できると共にリング本体の間隙部に耳たぶ又は耳を挟むことによってイヤリング又はイヤーカフとして使用でき、更に貫通する孔にチェーンを通すことによってネックレスとしても使用することのできるスリーウェイの使用を可能とする装身具に関する。
【背景技術】
【０００２】
指輪やネックレス或いはブレスレッドなどの装身具は従来それぞれの装身具の有する機能を発揮するためにそれぞれに応じた形状よりなっている。
例えば指輪であれば指に装着するために指にはめるために略リング形状を為している。
またネックレスに関してはチェーンを用いて首にかけると共にそのチェーンの一端に装飾体を吊るして用いるものが多用されている。
またイヤリングは耳たぶなどに装着して用いられるものである。
【０００３】
従ってそれぞれに応じた形状を有するものである。
そのほか例えば指輪などを紛失することを防止するためにチェーンに掛けて首に下げておくこともある。
しかしこれはネックレスの装飾というのではなくこれは指輪の紛失防止のために非常手段として用いる一方策であり、ネックレスの使用とは基本的に異なる。
【０００４】
更に、多様な装飾を求めるために指輪自体をネックレスのペンダントヘッドとして用いるためネックレス用指輪着脱器具として特開２０１７-０４７０６８号（特許文献１）が存在する。
又特開２００８-１１３９７０号(特許文献２)も存在する。
この他、指輪兼ネックレスとして登録実用新案第３００１１１７号（特許文献３）や登録実用新案第３０９７２１６号（特許文献４）、実開平０５-０２８２１３号（特許文献５）が存在する。
【先行技術文献】
【特許文献】
【０００５】
【特許文献１】特開２０１７-０４７０６８号
【特許文献２】特開２００８-１１３９７０号
【特許文献３】実登第３００１１１７号
【特許文献４】実登第３０９７２１６号
【特許文献５】実開平０５-０２８２１３号
【考案の概要】
【考案が解決しようとする課題】
【０００６】
以上の様に、指輪でありこれをネックレスのペンダントヘッドとしても用いられる装身具は存在している。
しかし、これは単に指輪にチェーンを通せるように構成したものであり、指輪かネックレス化の二者選択のものでしかなかった。
現在のように装身具も多様化しており、一種類の装身具をより多様に用いることができ、多彩な装身具の提供が求められている。
【０００７】
指輪とネックレスとの関係については従来よりネックレスに指輪の輪の部分を通して紛失防止のために首に吊るすこともあった現状から考えると、指輪とネックレス間のみのいわゆるツーウェイの使用は従来の装身具の選択の幅内に収まるものであって新たなより斬新な装身具の範囲となるものではないことから、より多彩な使用できる斬新な装身具の提供が求められている。
そこで指輪とネックレスの互換性のみではなく更にイヤリングやイヤーカフとしても使用できる装身具の提供がより装身具の使用範囲の幅を広げることができ、多彩な装飾に寄与する装身具の提供が求められている。
【課題を解決するための手段】
【０００８】
係るため請求項１に係る考案は略Ｃ字状のリング本体であって、その一部に間隙部を有するリング本体であり、リング本体の両端部方向の両端部には少なくともそれぞれ貫通孔を有しており、略Ｃ字状のリング本体は指の径にほぼ等しい径を有し、該リング本体の間隙部は耳たぶの厚み程度の幅を有するものであり、貫通孔はチェーンを挿通できる孔である装身具からなり、係る考案によって前記課題を解決できる。
【０００９】
或いは請求項２に係る考案は、リング本体が板状の部材からなる上面部と下面部とを有し、略Ｃ字状の両端部部分で該上面部と下面部とが連接して形成し、上面部と下面部との間に中空の空洞部を有するリング本体であって、該中空の空洞部が貫通孔である装身具からなり、係る考案であってもよい。
或いは請求項３に係る考案のようにリング本体は板状の部材からなる内側部と外側部とを有し、略Ｃ字状の両端部部分で該内側部と外側部とが連接して形成し、内側部と外側部との間に中空の空洞部を有するリング本体であって、該中空の空洞部が貫通孔である装身具からなり、係る考案を用いてもよい。
【考案の効果】
【００１０】
上記のように構成することからまず請求項１記載の考案は、指の径にほぼ等しい径を有するリング本体として指輪として機能することができ、更に貫通孔を有することからチェーンを該貫通孔に挿通することによってネックレスとしても使用することができる。
更に耳たぶの厚み程度の幅有する該リング本体の間隙によって耳たぶを挟んで装着することによってイヤリングとしても使用できる。
更に耳たぶではなく耳の周囲の外周に挟み込むことによってイヤーカフ或いはイヤークリップとしても使用することができる。
これらはすべて装飾品であり、本考案に係る装身具は一の物品に対して各種多様な装身具として用いることができ、装身具の装着に際して多様に使用できるものとなる。
【００１１】
更に請求項２に係る考案によってリング本体は板状の部材からなる上面部と下面部とよって形成され、両者間の空洞部を貫通孔として使用でき、また上面部と下面部によるリング本体が装飾的価値を有する装身具としても使用できる。
また請求項３に係る考案よってリング本体は板状の部材からなる内側部と外側部とをよって形成でき、又、両者間の空洞部を貫通孔として使用できものであると共に内側部と外側部によるリング本体が装飾的価値を有する装身具としても使用できる。
従って装飾的に価値の高い装身具を多様に使用できるものとなり、各種の装身具として一の装身具を使用できるものとなる。
【図面の簡単な説明】
【００１２】
【図１】本考案に係る装身具の一例を示す図。
【図２】本考案に係る装身具の一例を示す図。
【図３】本考案に係る装身具をネックレスとして使用している一例を示す図。
【図４】本考案に係る装身具をイヤリングとして使用している一例を示す図。
【図５】本考案に係る装身具のリング本体の他の一例を示す図。
【図６】本考案に係る装身具のリング本体の他の一例を示す図。
【図７】本考案に係る装身具の他の一例を示す図。
【考案を実施するための形態】
【００１３】
まず図１は本考案に係る装身具の一例を示す図である。
リング状の本体１を有しており、その一部に間隙を有している。
これは一定の長さを有する部材を丸め込んで、その両端部分につき間隙部Ａを有した状態で略輪状に形成したものであり、一般的にリング或いは指輪として捉えられる形状である。
従って間隙部Ａを有する略Ｃ字状のリング本体１からなる。
【００１４】
この本体の輪郭部分は、リングの上下に薄板状の部材が形成しており、両端部分でこの上下面の部材が連接して形成している。
従って、この上下の上面部１０と下面部１１との間は中空部分となり空洞部２となっており、少なくともリングの上下面の間を貫通する貫通孔２となる。
即ちリング本体を指に装着した場合にそれぞれ上面部と下面部の一側面と指とが接するものである。
【００１５】
従ってこのリング本体１を指にはめた状態で指の側部から視認した場合には板状の上下面部がそれぞれ線状に視認できるものであり、例えば指先から視認した場合には上下面部のいずれかの面のみ視認できるものとなる。
更に、該リングの間隙部Ａに対向するリング本体１の中央部分には装飾体３を有する。
また該装飾体３の中央部分から該リングの端部方向の中空部分の空洞部２に各方向に３つずつ装飾体４がリングの上下に亘る薄板状の外周部の間に有し、該部分に装飾体４を有するものである。
この装飾体４は該リング本体１の中央部分からリング本体１の端部方向に向けて配設されているが、リング本体１の間隙部分の両端部方向には中空の空洞部分の空洞部２を有する。
【００１６】
もとよりこの部分にも装飾体を有するものであってもよい。
従って基本的には空隙部Ａを有するリング本体１は指に装着できるものであり、指輪として機能することができる。
尚、リング本体１は板状のものに限らず線状のものでも或いは他の形状のものでもよく、少なくとも長尺状のものをリング状に略Ｃ字状に形成したものであればよい。
【００１７】
図２は、本指輪を上面視した一例を示す図である。
本図に示すように一部に空隙部Ａを有するリング本体１であって、略Ｃ字状のリング本体からなる。
該リング本体１は一定の幅を有すると共に略板状の部材からなる上面部と下面部とを有しており、略Ｃ字状の両端部部分で上面部１０と下面部１１とが連設している。
該リング本体１の中央部分には装飾体３を有する。
係る略Ｃ字状の弧状内に指を挿入するものとなる。
従って概略Ｃ字状の弧状の径は略指の径に合致するものである。
【００１８】
図３は、本リング本体１の上面部１０と下面部１１とによって形成される中空の空洞部２にネックレスを挿通してネックレスの装飾体として用いた本考案に係る装身具の使用状態の一例を示す図である。
このようにして装身具の本体の空洞部２である貫通孔にネックレスを挿通すればこのネックレスを首に下げることによってネックレスとして機能することができる。
【００１９】
特にリング本体１の間隙部Ａを形成するための略Ｃ字状の両端部に形成している上面部１０と下面部１１との連設によって形成している端部部分にネックレスが掛かることから該位置にこのリング本体１の間隙部Ａが上部に位置し、リング本体１の中央部分の装飾体３が下部にぶら下がった状態で位置するものとなる。
従ってネックレスの装飾体として最適な装飾体を有するネックレスとなる。
このように構成したことから前記した指輪として用いるもののほか、ネックレスとしても用いることができる。
【００２０】
図４は、本発明に係る装身具を耳に装着してイヤリングとしている状態の一例を示す図である。
本図においては片耳にのみ本考案に係る装身具を耳たぶに装着している状態を示すが、これに限らす２つの装身具を用いて両耳に装着してイヤリングとして使用するものであってもよい。
本図に示す構成は本考案に係る装身具のリング本体１の間隙部Ａを形成するための略Ｃ字状の両端部に形成している上面部１０と下面部１１との連設によって形成している両端部部分に耳たぶを挟み込んで装着している状態を示す。
【００２１】
従って、リング本体１の間隙部Ａがちょうど耳たぶ程度の厚みの間隔を有しているものであればよい。
このように構成することによって耳たぶに本装身具を装着すれば、イヤリングとして使用できるものとなる。
この場合耳たぶではなく耳の軟骨やくぼみ部分或いは耳の外郭等に沿って装着する耳の本体部分につける所謂イヤーカフ或いはイヤークリップとして用いるものであってもよい。
以上のように、本考案に係る装身具のリング本体に指を挿入することによって指輪として用いることができ、更に本指輪の上面部１０と下面部１１とによって形成される中空の空洞部２の貫通孔にネックレスを挿通することによってネックレスの装飾体として用いることができ、更にリング本体１の間隙部Ａを耳に挟むことによってイヤリングとして使用できるものである。
【００２２】
また耳の本体部分に装着することによってイヤーカフとして使用することもできる。
従って本考案に係る装身具を用いることによって指輪、ネックレス、イヤリング、イヤーカフとしてそれぞれ使用することができるものであり、一の装身具が三つの使用用途即ちスリーウェイで使用できることとなる。
或いはそれ以上の用途を有する装身具となる。
従って一の装身具を多彩に使用できるとして多彩な装飾品として用いることができるものとなる。
【００２３】
図５は、本リング本体のリング本体を略板状の上面部１０と下面部１１の連設体によって形成している一例を示す図あり、間隙部Ａを有する略Ｃ字状の両端部が上面部１０と下面部１１との連設によって形成し、上面部１０と下面部１１とによって形成される中空の空洞部２である貫通孔を有するリング本体１の一例を示す図である。
特にリング本体１の中央部分に関しては棒状部材によって形成した一例を示す図である。
尚、この両端部は略板状の部材が屈曲して上面部１０と下面部１１とがつながって形成されているものであり、その端部部分は弧状に丸め込んで形成しているものである。
従ってイヤリングとしてこの間隙部Ａに耳たぶを挟んでも、耳たぶを傷つけることなく装着できるものである。
或いは耳の軟骨部分やへこみ部分に嵌め込むこともできる。
【００２４】
図６は、本リング本体１の略Ｃ字形状のリング部材の両端部分の一例を示す図であり、間隙部Ａの一例を示す図である。
該リング本体の両端部に関してはそれぞれ空洞部２である貫通孔をしており、該貫通孔からなる空洞部２にネックレスの挿入ができる構造を有している。
この場合該両端部は弧状に形成しており、丸みを帯びて形成しているものであって、イヤリングとしてこの間隙部Ａで耳たぶを挟んだ際には、耳たぶを傷つけることなく、耳たぶを抑えることができるものである。
或いは耳の本体に挟むことによってイヤーカフ或いはイヤークリップとしても使用でき、耳を傷つけることなく装着できる。
【００２５】
図７は、リング本体１の輪郭部分は、リングの内側部１２と外側部１３とに薄板状の部材が形成しており、略Ｃ字状の両端部分でこの外側部1３と内側部１２の部材が連設して形成している他の一例を示す図である。
従って、この内側部１２と外側部１３の両面の間は中空部分となり空洞部２となっており、少なくともリングの両面間を貫通する貫通孔となる。
従って指輪として用いるものであるほか、イヤリングやイヤーカフ、或いはネックレス等としても用いることができる。
【符号の説明】
【００２６】
１    リング本体
１０    上面部
１１    下面部
１２    内側部
１３    外側部
２    空洞部
３    装飾体
４    装飾体
Ａ    間隙部
【図１】
0003233345.tif 000003
【図２】
0003233345.tif 000004
【図３】
0003233345.tif 000005
【図４】
0003233345.tif 000006
【図５】
0003233345.tif 000007
【図６】
0003233345.tif 000008
【図７】
0003233345.tif 000009